(57)【要約】【課題】負極シートと正極シートとを含むＬＥＤのベースを提供すること。【解決手段】導電材料製であり、下部外側に平坦な負極プレートを提供し、内側に一体型負極体を有し、２つの側部に複数の直立負極シート溝を提供し、頂部に負極凹部を提供する負極シートと、導電材料製であり、下部外側に平坦な正極プレートを提供し、内側に一体型正極体を有し、２つの側部で下部から直立に延びる複数のシート溝を提供する正極シートと、結晶粒が負極凹部に位置し、接続ワイアがその両端部で正極シートおよび結晶粒に接合され、負極プレートおよび正極プレートが回路板の回路に接着されている限り、閉回路を形成することができることからなる。【選択図】　図１
0003098101.tif 000002
【実用新案登録請求の範囲】
【請求項１】
導電材料製であり、下部外側に平坦な負極プレートを提供し、内側に一体型負極体を有し、２つの側部に複数の直立負極シート溝を提供し、頂部に負極凹部を提供する負極シートと、
導電材料製であり、下部外側に平坦な正極プレートを提供し、内側に一体型正極体を有し、２つの側部で下部から直立に延びる複数のシート溝を提供する正極シートと、
結晶粒が負極凹部に位置し、接続ワイアがその両端部で正極シートおよび結晶粒に接合され、負極プレートおよび正極プレートが回路板の回路に接着されている限り、閉回路を形成することができることを特徴とするＬＥＤのベース。
【請求項２】
負極プレートに使用される材料と正極プレートに使用される材料が互いに関係していることを特徴とする請求項１に記載のＬＥＤのベース。
【請求項３】
負極シートおよび正極シートについて一体型部片が形成され、一体型部片を切断して負極シートを正極シートから分離することを特徴とする請求項１に記載のＬＥＤのベース。
【請求項４】
負極体および正極体は、それぞれの下部で、それぞれの下部にある負極プレートおよび正極プレートより高いことを特徴とする請求項１に記載のＬＥＤのベース。
【請求項５】
負極体が、負極凹部の下に、下部からブラインド穴を備えることを特徴とする請求項１に記載のＬＥＤのベース。
【請求項６】
負極体および正極体が、互いに対向するそれぞれの側に平坦な形状または湾曲した形状を有することを特徴とする請求項１に記載のＬＥＤのベース。
【請求項７】
負極体および正極体が、圧縮成型、フリー・ワックス、鋳造、エッチング、粉末冶金、ダイカスト、押出し、鍛造、スタンプ、またはプレキャスト成形によって作製されることを特徴とする請求項１に記載のＬＥＤのベース。
【請求項８】
負極体および正極体を、銅、鉄、アルミニウム、または他の任意の導電金属製とすることができることを特徴とする請求項１に記載のＬＥＤのベース。
【考案の詳細な説明】
【０００１】
【考案の属する技術分野】
本考案は、発光ダイオード（ＬＥＤ）のベースに関し、詳細には、良好に熱放散することができ、回路板作製に適合させることが可能なＬＥＤのベースに関する。
【０００２】
【従来の技術】
ＬＥＤ（発光ダイオード）は、非常にしばしば電子製品内で見られ、合図または指示の機能を実現するため、通常の光信号として広く使用されている。小型、低消費電力、十分な照度を理由として、ＬＥＤは必要不可欠な役割を果たしている。
【０００３】
【考案が解決しようとする課題】
表面実装技術（ＳＭＴ）は、近年来、電子回路の分野で一般に採用されており、その結果、ＬＥＤ設計中にＬＥＤがＳＭＴに従う必要がある。さらに、ＬＥＤが動作に入った後には熱が発生し、ＬＥＤが損傷した場合には、電子構成部品が指示機能を失うため、熱がどのように導かれて出るか注意することには価値がある。
本考案の主な目的は、負極シートと正極シートとを含むＬＥＤのベースを提供することである。
【０００４】
【課題を解決するための手段】
前記目的を達成するため、本考案のＬＥＤのベースにおいて、負極シートは導電材料製であり、負極シートの下部外側にある平坦な負極プレートと、負極シートの内側にある一体型負極体と、負極シートの２つの側部にある複数の直立負極シート溝と、負極シートの頂部にある負極凹部とをそれぞれ有する。正極シートもまた導電材料製であり、正極シートの下部外側にある平坦な正極プレートと、正極シートの内側にある一体型正極体と、正極シートの２つの側部で下部から直立に延びる複数のシート溝とを有する。結晶粒が負極凹部に位置し、接続ワイアがその両端部で正極シートおよび結晶粒に接合され、負極プレートおよび正極プレートが回路板の回路に接着されて閉回路を形成することからなる。
又、負極プレートに使用される材料と正極プレートに使用される材料が互いに関係していることが好適である。
又、負極シートおよび正極シートについて一体型部片が形成され、一体型部片を切断して負極シートを正極シートから分離することが好適である。
又、負極体および正極体は、それぞれの下部で、それぞれの下部にある負極プレートおよび正極プレートより高いことが好適である。
又、負極体が、負極凹部の下に、下部からブラインド穴を備えることが好適である。
又、負極体および正極体が、互いに対向するそれぞれの側に平坦な形状または湾曲した形状を有することが好適である。
又、負極体および正極体が、圧縮成型、フリー・ワックス、鋳造、エッチング、粉末冶金、ダイカスト、押出し、鍛造、スタンプ、またはプレキャスト成形によって作製されることが好適である。
さらに、負極体および正極体を、銅、鉄、アルミニウム、または他の任意の導電金属製とすることができることが好適である。
【０００５】
【考案の実施の形態】
本考案は、以下の説明と添付の図面を参照することによって、より完全に理解することができる。
【０００６】
図１から３を参照すると、基本的に、本考案によるＬＥＤのベースは、回路板Ａに取り付け、結晶粒（固体結晶またはチップと呼ぶこともできる）および接続ワイアＣと共に配置することが可能である。ＬＥＤのベースは、負極シート１と正極シート２を含む。
【０００７】
負極シート１は導電材料製であり、その側に、回路板Ａに取り付けられた平坦な負極プレート１１の区間を有する。負極シート１はさらに一体型負極体１２を上向きに延ばし、負極体１２は、その下部で負極プレート１１より高く、その２つの側部に複数の直立負極溝１３を有する。さらに、固体結晶を受け取るために、負極体１２の頂部に負極シート凹部１４が設けられ、図２に示すように、熱放散を容易にするように負極シート凹部１４に対応する負極体１２の下部に下ブラインド穴１５が設けられている。負極体１２は、平坦な形状または湾曲した形状を有する、正極シート２に対向する側を有する。
【０００８】
正極シート２もまた導電材料製であり、その下部で平坦な正極プレート２１の区間を外向きに延ばす。正極シート２はさらに一体型正極体２２を上向きに延ばし、正極体２２は、その下部で正極プレート２１より高く、その２つの側部に複数の直立正極溝２３を有する。さらに、正極体２２は、平坦な形状または湾曲した形状を有する、負極シート１に対向する側を有する。
【０００９】
実際には、本考案によるＬＥＤのベースは、その下部で互いに接合された小さい交差部を有する負極シート１および正極シート２を構成するように、事前成形によって作製することができる。小さい交差部は、固体結晶が配置され、はんだワイアが接着封止された後で、切断することによって分離することができる。
【００１０】
図１から３を再び参照すると、使用されている間、結晶粒Ｂは負極シート凹部１４に位置し、次いで、接続ワイアＣは、その両端部で結晶粒Ｂおよび正極体２２の頂部に接合され、閉回路の状態を形成する。
【００１１】
負極プレート１１と正極プレート２１を回路板Ａに接着すれば、本考案によるＬＥＤのベースの回路板への取付けは完了する。負極体１２と正極体２２がその下部で回路板から離隔されているため、通気の効果があり、熱は、熱伝達によって負極溝１３および正極溝２３を介して導かれて出ることができ、熱放散の効果を高める。さらに、結晶粒Ｂ下の負極穴１５もまた冷却効果を高めることができる。
【００１２】
したがって、本考案によるＬＥＤのベースは、容易に回路板に取り付けること、従来のＬＥＤのベースによるものより望ましい熱放散を得ることが可能である。
【００１３】
以上本考案について、その好ましい実施形態を参照しながら述べたが、添付の実用新案登録請求の範囲によって定義される本考案の精神から逸脱することなく、容易に修正および変形を行うことができることを理解されたい。
【図面の簡単な説明】
【図１】本考案によるＬＥＤのベースの斜視図である。
【図２】図１の断面図である。
【図３】ＬＥＤを有する本考案によるベースを示す斜視図である。
【符号の説明】
Ａ　回路板
Ｂ　結晶粒
Ｃ　接続ワイア
１　負極シート
２　正極シート
１１　負極プレート
１２　負極体
１３　負極溝
１４　負極シート凹部
１５　下ブラインド穴、負極穴
２１　正極プレート
２２　正極体
２３　正極溝
【図１】
0003098101.tif 000003
【図２】
0003098101.tif 000004
【図３】
0003098101.tif 000005